Podtech/llm-jp-corpus-v4-ja_patent huggingface dataset:
(57)【要約】      （修正有）【課題】木造建築物の壁面構造に用いられる木質無垢板材の落し込み板壁に関し、建築現場で建物の軸組内空間にはめ込むだけで容易に落し込み板壁が施工できるパネル形成フレームを提供する。【解決手段】左右一対の縦枠Ａ，Ｂ及び長さ調節が可能な交差筋交い１を有するパネル形成フレームにおいて、左右一対の該縦枠Ａ，Ｂは、それぞれの内側面全長に板材嵌入部の開口溝を設け、さらにそれぞれの枠の上端および下端に略Ｌ字形状のコーナーを内向き合うよう突出して設け、さらに左右一対の該縦枠Ａ，Ｂ間に長さ調節が可能な該交差筋交い１を取り付け連結して一体に成すことを特徴としたことで、落し込み板壁状に平行に並べた木質無垢板材２を左右一対の該縦枠Ａ，Ｂ間に嵌め込み、且つ、長さ調節が可能な該交差筋交い１で締め付けて固定するだけで容易に落し込み板壁パネルを製作できるようにした。【選択図】図１
0003144701.tif 000002
【実用新案登録請求の範囲】
【請求項１】
左右一対の縦枠Ａ，Ｂ及び長さ調節が可能な交差筋交いを有するパネル形成フレームにおいて、左右一対の該縦枠Ａ，Ｂは、それぞれの内側面全長に板材嵌入部の開口溝を設け、さらにそれぞれの枠の上端および下端に略Ｌ字形状のコーナーを内向き合うよう突出して設け、さらに左右一対の該縦枠Ａ，Ｂ間に長さ調節が可能な該交差筋交いを取り付け連結して一体に成すことを特徴とするパネル形成フレーム。
【考案の詳細な説明】
【技術分野】
【０００１】  本考案は、木造建築物の壁面構造に用いられる木質無垢板材の落し込み板壁に関する。
【背景技術】
【０００２】  従来より、木造建築物の壁面構造に用いられる木質無垢板材の落し込み板壁に関する様々な提案がなされている。例えば、特許文献１では、壁面構造に関して耐力壁としての壁倍率が格段に高くなるため耐震性がよく、施工が容易で大幅な工期短縮が可能な二重落し込み板パネル構法による木造耐力壁とその固定方法が提案されている。
【特許文献１】特許第３８３４６６２号広報
【考案の開示】
【考案が解決しようとする課題】
【０００３】  しかしながら、上述の方法は、たしかに壁倍率が高くなり耐震性が向上するものの、二重落し込み板パネルの製作などを考えると、さほど工期の短縮が図れないといった問題点を有していた。【０００４】本考案は、上記従来有する問題点に鑑み、木造建築物の壁面構造に用いられる木質無垢板材の落し込み板壁に関し、建築現場で建物の軸組内空間にはめ込むだけで容易に落し込み板壁が施工できるパネル形成フレームを提供しようとするものである。
【課題を解決するための手段】
【０００５】  本考案のパネル形成フレームは、左右一対の縦枠Ａ，Ｂ及び長さ調節が可能な交差筋交い１を有するパネル形成フレームにおいて、左右一対の該縦枠Ａ，Ｂは、それぞれの内側面全長に板材嵌入部の開口溝を設け、さらにそれぞれの枠の上端および下端に略Ｌ字形状のコーナーを内向き合うよう突出して設け、さらに左右一対の該縦枠Ａ，Ｂ間に長さ調節が可能な該交差筋交い１を取り付け連結して一体に成すことを特徴としたことで、落し込み板壁状に平行に並べた木質無垢板材２を左右一対の該縦枠Ａ，Ｂ間に嵌め込み、且つ、長さ調節が可能な該交差筋交い１で締め付けて固定するだけで容易に落し込み板壁パネルを製作できるようにした。
【考案の効果】
【０００６】  本考案によれば、落し込み板壁状の木質無垢板材とパネル形成フレームの組合せが高い壁倍率を実現すると共に、これらを一体化したパネル構造により、現場での高度な技術や複雑な作業を必要としない取り付け施工が期待できる。
【考案を実施するための最良の形態】
【０００７】  以下、本考案の実施の形態について、図面を参照して説明する。
図１に示すように、パネル形成フレームは、左右一対の縦枠Ａ，Ｂ及び長さ調節が可能な交差筋交い１を有するパネル形成フレームにおいて、左右一対の該縦枠Ａ，Ｂは、それぞれの内側面全長に板材嵌入部の開口溝を設け、さらにそれぞれの枠の上端および下端に略Ｌ字形状のコーナーを内向き合うよう突出して設け、さらに左右一対の該縦枠Ａ，Ｂ間に長さ調節が可能な該交差筋交い１を取り付け連結して一体に成すことを特徴としたことで、落し込み板壁状に平行に並べた木質無垢板材２を左右一対の該縦枠Ａ，Ｂ間に嵌め込み、且つ、長さ調節が可能な該交差筋交い１で締め付けて固定するだけで容易に落し込み板壁パネルを製作できるようにした。
【図面の簡単な説明】
【０００８】
【図１】  本考案に於けるパネル形成フレームの使用例の斜視図である。
【図２】  本考案に於けるパネル形成フレームの斜視図である。
【図３】  本考案に於けるパネル形成フレームの平面図である。
【図４】  本考案に於けるパネル形成フレームの左側面図である。
【符号の説明】
【０００９】Ａ，Ｂ  縦枠
１      交差筋交い
２      木質無垢板材
【図１】
0003144701.tif 000003
【図２】
0003144701.tif 000004
【図３】
0003144701.tif 000005
【図４】
0003144701.tif 000006
(57)【要約】      （修正有）【課題】一つのペットボトルに２種類の飲料を入れることができるペットボトルを提供する。【解決手段】一つの容器に仕切りをつくり、２種類の飲料を同時に持ち運びできるようにする。２種類の飲料の入っているそれぞれの部分に開閉栓を取り付け、それぞれの部分から飲料を取り出せるようにする。該仕切は、容器の上下中央あるいは左右中央の境目のいずれに設けても良い。【選択図】図１
0003144703.tif 000002
【実用新案登録請求の範囲】
【請求項１】
一つの容器の中央に仕切りがある；
その仕切りによって２種類の飲料を分けられる；
２種類の飲料の入っているそれぞれの部分に開閉栓がある；
構造をもつ飲料用ペットボトル。
【考案の詳細な説明】
【技術分野】本考案は、容器内に仕切りを設け、１つの容器で２種類の飲料を利用することができるようにするものである。
【考案が解決しようとする課題】
２種類の飲料を飲みたいとき、現在は２つのペットボトルを購入する必要がある。しかし、二つを購入して持ち運ぶと、がさばって不便である。一つのペットボトルに２種類の飲料を入れることができれば便利である。
【課題を解決するための手段】
一つの容器に仕切りをつくり、２種類の飲料を同時に持ち運びできるようにする。２種類の飲料の入っているそれぞれの部分に開閉栓を取り付け、それぞれの部分から飲料を取り出せるようにする。
【考案の効果】
コーヒーなどを飲んだあとには歯に色素が付着することが多いので、たとえばコーヒーと水を組み合わせたツインペットボトルを持ち歩くことはたいへん便利である。コーヒーを飲んだあとすぐに水を飲むことができれば、２種類の飲料を楽しむことができると同時に歯への着色を防ぐことができる。若い女性などに人気のものになるのではないかと期待される。
【考案を実施するための最良の形態】一つの容器の上下中央あるいは左右中央に仕切りをつくり、２種類の飲料が混合しないようにする。２種類の飲料の入っているそれぞれの部分に開閉栓を取り付け、それぞれの部分から飲料を取り出す。
【実施例】■  実施例１  容器の上下中央（一つのペットボトルを、開閉線を上にして立てた場合の    位置）に仕切りを付けた縦型の構造。底面が平らな２つの容器の底面を接続させて一    つに合体させる。
■  実施例２  容器の左右中央（一つのペットボトルを、開閉線を上にして立てた場合の    位置）に仕切りの付いた横型の構造。側面が平らな２つの容器の側面を接続させて一    つに合体させる。
【図面の簡単な説明】
【図１】  容器の上下中央の境目に仕切りがある縦型を示す。仕切りは上下それぞれの底面が接続されることによってできている。開閉栓は上下のそれぞれ末端に取り付けてある。
【図２】  容器の左右中央の境目に仕切りがある横型を示す。仕切りは左右それぞれの側面が接続されることによってできている。開閉栓は左右の部分のそれぞれ上部に取り付けてある。
【図１】
0003144703.tif 000003
【図２】
0003144703.tif 000004
(57)【要約】      （修正有）【課題】差込まれたプラグ上部で侵入する塵埃、水分等を完全に遮断するカバーを提供する。【解決手段】コンセント１に差込んだプラグ６の上部に中空ローラー４を設け、中空ローラー４の外周には弾力性のあるシリコンゴム輪を貼り、軸心からコンセント間の距離より中空ローラー４の半径を大きくして、コンセント面とシリコンゴム輪の接触部の密着性を高めてコンセント面からの塵埃、水分等を完全に遮断する。又プラグ６上面に溜まる塵埃等は、中空ローラー４に付けた防塵カバー５により遮断する。更には、プラグを使用しない時は防塵カバー５を下に回して差込口を覆い、塵埃、異物等の侵入を防ぐ構造を形成する。【選択図】図１
0003144702.tif 000002
【実用新案登録請求の範囲】
【請求項１】
室内壁付けコンセト（１）に差込まれたプラグ（６）の上部に難燃性樹脂材で形成される中空ローラー（４）を有し、中空ローラー用軸即ちピン（３）をそれぞれ受ける軸受け板（２）を有し、コンセント両側に両面テープで貼り付け固定する、中空ローラーには硬質の透明な難燃性樹脂材の防塵カバー（５）を設ける、中空ローラーの外周には弾力性のある円筒状のシリコンゴム輪（８）を貼付け該シリコンゴム輪がコンセント面から軸心間Ａ寸法よりＢ半径を（＋）０．０５ｍｍ〜０．１ｍｍ程度大きくして形成されるトラッキグ防止装置。
【請求項２】
請求項１において、防塵カバー（５）は、中空ローラーと一体物で回転可能とし垂直方向に吊り下げるようにして、差込口を覆うトラッキング防止装置。
【考案の詳細な説明】
【技術分野】
【０００１】  本考案は、コンセント面にシリコンゴム材のローラーに締め代をつけて完全に密着させて、コンセント面からの塵埃、水分等の浸入を完全に遮断する、又プラグの上部に防塵カバーを設け、同様に塵埃等の侵入を遮断するものである。尚、フラグを使用しない場合は、差込口を該ローラー付カバーでカバーが垂直になるようローラーを回して差込口を覆う構造を有するものである。
【背景技術】
【０００２】  室内の壁付コンセントには、長期間フラグを差込使用していて、プラグの差込口に塵埃等が溜まり水分を含み、フラグの接触刃部で短絡しトラッキング現象により火災が発生しているが、現状、差込んだプラグとコンセント面間の密着性が無く、溜まった塵埃、水分等を完全に遮断する構造のものがなく、コンセント部やプラグ部に隙間を生じて、完全にトラッキング現象を防止出来ないのが現状である。
【考案の開示】
【考案が解決しょうとする課題】
【０００３】  トラッキング現象を完全に防止するためには、コンセント面と差込まれたプラグ間の隙間を完全に無くすことであるが、プラグ差込の加減により隙間を完全に無くすことは困難である。従い、差込まれたプラグ上部で侵入する塵埃、水分等を完全に遮断することで前述の欠点を解決しようとするものである。
【課題を解決するための手段】
【０００４】  本考案は、コンセント面の塵埃、水分の侵入を遮断するため、コンセント面に締め代を付けたシリコンゴム材の外周を有す中空ローラーでコンセント面の密着性を施し隙間を無くすことにより、問題点を解決している。又、プラグ上面に溜まる塵埃等は中空ローラーに付けた防塵カバーにて侵入を遮断することで解決している。又プラグを使用しないコンセントの差込口は現状カバーが無いため、長期に渡り空気中に浮遊する塵埃等が差込口に溜まるのを中空ローラーに付けた防塵ガバーを垂直に下げることで差込口を覆うことにより解決して安全性を向上させた。
【考案の効果】
【０００５】  コンセントに差込まれたプラグの上部に中空ローラーで密着性を有しており塵埃、水分等の侵入を完全に遮断しているため、プラグの差込がコンセント面で隙間が生じていてもトラッキング現象が起きない効果がある。
又プラグ上部に防塵カバーを設けてあるので、塵埃等が溜まらないため、トラッキング現象が発生しない効果がある。
【０００６】  コンセントにプラグを差込まず、即ち使用されない場合、コンセントの差込口が現状は露出しているものを、防塵カバーで覆うことにより、安全性を向上させた。
【考案を実施するための最良の形態】
【０００７】  該装置の防塵カバーは、コンセントを使用されない時は垂直の状態で差込口を覆い、塵埃、水分、異物等の侵入を遮断している。
プラグを差込む際は、防塵カバーの先端を持ち水平に回しプラグを差込むことにより、プラグ上部に溜まる、塵埃等を遮断する。又コンセント面は中空ローラーの外周のシリコンゴムが締め付けて密着しているため、防塵カバーを水平、垂直に回してもコンセント面への密着性は保たれる。
プラグを抜き使用しない時は、防塵カバーを垂直に下ろし差込口を覆うようにする。
【実施例】
【０００８】  室内壁付けコンセント（１）に差込まれたプラグ（６）の上部に難燃性樹脂材で形成された中空ローラー（４）を有し、中空ローラー軸即ちピン（３）をそれぞれ受ける軸受け板（２）をコンセントの両サイドにセットする。
該軸受け板の内側に中空ローラー（４）を位置し、ピン（３）を通して固定する。又硬質で透明な難燃性樹脂材の防塵カバー（５）を設ける。
中空ローラーの外周には弾力性のある円筒状のシリコンゴム輪（８）を貼付け、コンセント面から軸心間Ａ寸法より、Ｂ半径を（＋）０．０５ｍｍ〜０．１ｍｍ程度大きくして、中空ローラーとコンセント面の接触部を締め付けて弾力性のあるシリコンゴム輪にて密着性を向上させ、塵埃、水分等の侵入を完全に遮断することを特徴としている。
更にプラグを差込んだ上面には、防塵カバー（５）を設け、塵埃、水分等の侵入を遮断するトラッキング防止装置である。
該装置は、コンセント面に両面テープ（７）を貼り装置一式を固定する。【０００９】  コンセントにプラグを差込まず、即ちコンセントの差込口が使用されない時は、該装置の防塵カバー（５）は、中空ローラーと一体物で回転可能としてあり、中空ローラーを回し垂直に吊り下げることにより、コンセントの差込口からの塵埃、水分、異物等の侵入を遮断する。
【図面の簡単な説明】
【００１０】
【図１】本考案の全体図
【図２】装置の側面図と中空ローラー部の断面図
【符号の説明】
【００１１】１  壁付けコンセント
２  軸受け板
３  ピン（中空ローラー用軸）
４  中空ローラー
５  防塵カバー
６  プラグ
７  両面テープ
８  中空ローラーの外周に貼付けたシリコンゴム
【図１】
0003144702.tif 000003
【図２】
0003144702.tif 000004
(57)【要約】      （修正有）【課題】天然ウールの軽く、温かく、健康によい、快適なキルティング用ウール中綿を提供する。【解決手段】厚さ５ｍｍ以上１０ｍｍ以下、密度１００ｇ／ｍ2 以上３００ｇ／ｍ2 以下のウール綿１１と不織布２０とを重畳し、ニードルパンチ処理によりウール綿１１および不織布２０を互いに絡ませ接合してキルティング用ウール中綿３０を形成する。これによりウールの優れた性質を備えつつ、不織布によりウール綿がしっかり保持される。【選択図】図１
0003144791.tif 000002
【実用新案登録請求の範囲】
【請求項１】
厚さ５ｍｍ以上１０ｍｍ以下、密度１００ｇ／ｍ2以上３００ｇ／ｍ2以下のウール綿と不織布とを重畳し、ニードルパンチ処理により上記ウール綿および不織布を互いに絡ませ接合してなることを特徴とするキルティング用ウール中綿。
【考案の詳細な説明】
【技術分野】
【０００１】
この考案は、キルティングの表生地と裏生地の間に挟むキルティング用ウール中綿に関し、特に、衣料用に好適な薄手のキルティング用ウール中綿に関する。
【背景技術】
【０００２】
表生地と裏生地の間に中綿を挟んで指し縫いされ、中綿が中で偏らないようにしたキルティングは、保温性に優れ、クッション性があって、寝具、防寒衣料等に広く用いられている。
【０００３】
衣料や寝具に用いられるキルティング用中綿は、保温性のほか、軽量性、通気性、嵩高性、耐久性、耐候性、耐薬品性等の良さから、化学繊維綿、特に、ポリエステル綿が、近年、広く用いられている。
【０００４】
例えば、特許文献１には、柔軟性、嵩高性、耐炎性等を改善したポリエステル中綿材料が開示され、その段落番号０００４に、「ポリエステル繊維からなる中綿材料が広く用いられている」と記されている。しかし、ポリエステル中綿は、吸湿性、吸水性に劣り、汗を吸いにくいので爽快感がなく、健康上も好ましくない、という問題がある。
【０００５】
ポリエステル繊維の吸湿性、吸水性を改善するために、ポリエステル繊維表面に親水基を有するビニルモノマーをグラフト重合によって導入し、吸湿率０．７〜４％とする技術が、特許文献２に開示されている。しかし、吸湿率１５％程のウール（ウールマークカンパニー「ウールについて」参照）と比べると、吸湿性が充分とは言えない。
【０００６】
【特許文献１】特開平６−２８０１４８号公報
【０００７】
【特許文献２】特開２００４−３２４００８号公報
【考案の開示】
【考案が解決しようとする課題】
【０００８】
この考案は、上記問題点を解決するためになされたものであり、その目的とするところは、保温性、通気性、吸湿性、放湿性、耐炎性等に優れた天然繊維であるウールを用いたキルティング用ウール中綿を提供しようとするものである。
【課題を解決するための手段】
【０００９】
上述の課題を解決するために、この考案のキルティング用ウール中綿は、厚さ５ｍｍ以上１０ｍｍ以下、密度１００ｇ／ｍ2以上３００ｇ／ｍ2以下のウール綿と不織布とを重畳し、ニードルパンチ処理により上記ウール綿および不織布を互いに絡ませ接合してなることを特徴とする。
【考案の効果】
【００１０】
この考案においては、天然繊維である適度の厚みと密度のウール綿と通気性のある不織布とをニードルパンチ処理により互いに絡ませ接合したから、次の効果がある。
（１）不織布によりウール綿がしっかり保持されて、薄くても取り扱い易い。
（２）ウールの優れた保温性、通気性、吸湿性、放湿性、耐炎性、抗菌作用、消臭作用、静電気防止作用、等を備え、使用して軽く、温かく快適で、汚れにくく、健康的であり、過敏症の人にも安心して勧められる。
【考案を実施するための最良の形態】
【００１１】
以下、この考案に係る実施形態を、図面を参照して説明する。
【００１２】
図１は、この考案のキルティング用ウール中綿の製造工程の一実施形態を模式的に示す説明図である。
【００１３】
図１において、１はキルティング用ウール中綿の製造装置である。このキルティング用ウール中綿の製造装置１には、ウール綿１０と不織布２０とが供給され、製品であるキルティング用ウール中綿３０が形成されて取り出される。
【００１４】
上記製造装置１内では、ウール綿１０の厚みが数十分の１に圧縮された後、ニードルパンチ処理されて圧縮されたウール綿１０、不織布２０を互いに絡ませ接合して、キルティング用ウール中綿を形成している。
【００１５】
この実施形態では、圧縮前のウール綿１０は、ウール綿１０層を重ねて厚さ１３５ｍｍ、密度１３８ｇ／ｍ2 としたものを用いた。不織布２０には、厚さ０．２ｍｍのポリエステル繊維不織布を用いた。
【００１６】
形成されたキルティング用ウール中綿３０のウール綿１１の厚さは、５ｍｍとなるように調整した。
【００１７】
このキルティング用ウール中綿は、不織布によりウール綿がしっかり保持されて、薄くても、キルト作業等の際、取り扱い易く、ウールの優れた保温性、通気性、吸湿性、放湿性、耐炎性、抗菌作用、消臭作用、静電気防止作用、等を備え、このキルティング用ウール中綿を、ベスト、パンツ、ジャケット等のキルティング衣料品に使用すると、軽く、薄くて、しかも、保温性が優れた感触のよい衣料品を作ることができる。
【００１８】
この考案のキルティング用ウール中綿は、天然のウールを１００％使用しているから、快適で、健康的であり、過敏症の人にも安心して勧められる。
【００１９】
この考案のキルティング用ウール中綿の、軽く、薄くて、保温性、通気性、吸湿性、放湿性等の優れた特性を発揮するためには、あまり厚くては軽い、薄いという特性が失われ、衣料用には適さず、逆に、あまり薄くすると、保温性が失われるばかりでなく、製造過程での均一な品質維持が難しくなる。
【００２０】
そこで、本願考案者は、好適な厚さと密度の範囲を確かめるための実験を行なった。その結果、キルティング用ウール中綿のウール綿の厚さは、５ｍｍ以上１０ｍｍ以下、密度は、１００ｇ／ｍ2 以上３００ｇ／ｍ2 以下とすると、衣料品に適したキルティング用ウール中綿が得られることを確認した。
【００２１】
ウール綿の厚さを５ｍｍ未満にしたり、密度を１００ｇ／ｍ2 未満にすると、保温性が失われ、製造過程での均一な品質維持が難しくなる。
【００２２】
ウール綿の厚さを１０ｍｍ超えにしたり、密度を３００ｇ／ｍ2 超えにすると、重く、硬くなって、衣料用には適さなくなる。
【図面の簡単な説明】
【００２３】
【図１】この考案のキルティング用ウール中綿の製造工程の一実施形態を模式的に示す説明図。
【符号の説明】
【００２４】
１  製造装置
１０、１１  ウール綿
２０  不織布
３０  キルティング用ウール中綿
【図１】
0003144791.tif 000003
(57)【要約】      （修正有）【課題】光り反射効果を有する模様を備え、ファッション性に優れたベルトを提供する。【解決手段】帯状のベルト本体２と留め具３とを備えた衣服用ベルトにおいて、ベルト本体２は、光反射効果を有する例えば、ホログラムフィルム４又はミラージュフィルムで構成された帯状フィルムを、クロスヘッドダイを用いた多層押出成形装置や、押出ラミネート多層押出成形装置を用いて、多層押出成形により合成樹脂製の被覆材で被覆して形成する。【選択図】図１
0003144214.tif 000002
【実用新案登録請求の範囲】
【請求項１】
帯状のベルト本体と留め具とを備えた衣服用ベルトにおいて、前記ベルト本体は、光反射効果を有する帯状フィルムを、多層押出成形により合成樹脂製の被覆材で被覆して形成したことを特徴とする衣服用ベルト。
【請求項２】
前記光反射効果を有する帯状フィルムが、ホログラムフィルム又はミラージュフィルムであることを特徴とする請求項１記載の衣服用ベルト。
【考案の詳細な説明】
【技術分野】
【０００１】
本発明は、衣服用ベルトに係り、特に、服装のアクセントとなりファッション性に富んだベルトに関する。
【背景技術】
【０００２】
従来、安価に形成でき、透明な色合いを楽しむことのできる衣服用ベルトとして、ベルト本体を着色した塩化ビニルで形成したものがあった（例えば、特許文献１参照。）。また、ベルト本体の表面材と裏面材との間に、蛍光塗料を塗布したシートや、プリズム反射シート等の視認性の高いシートを介装し、表面材に形成した開口窓から前記シートを露出させて、暗い場所でも視認可能な衣服用ベルトが提案されていた（例えば、特許文献２参照。）。
【特許文献１】特開平５−１３２８０６号公報
【特許文献２】実用新案登録第３０９３４９１号公報
【考案の開示】
【考案が解決しようとする課題】
【０００３】
しかし、上述の特許文献１のものでは、透明なベルトを安価に提供することはできるが、模様や色の変化を楽しめるものではなかった。また、特許文献２のものでは、光を反射するシートが表面材に形成した開口窓から露出していることから、ベルトの一部が光って目立つ特性はあるが、ファッション性に優れたものではなかった。
【０００４】
そこで本考案は、光り反射効果を有する模様を備え、ファッション性に優れたベルトを提供することを目的としている。
【課題を解決するための手段】
【０００５】
上記の目的を達成するため本考案は、帯状のベルト本体と留め具とを備えた衣服用ベルトにおいて、前記ベルト本体は、光反射効果を有する帯状フィルムを、多層押出成形により合成樹脂製の被覆材で被覆して形成したことを特徴とし、前記光反射効果を有する帯状フィルムが、ホログラムフィルム又はミラージュフィルム（マジカルフィルム）であると好適である。
【考案の効果】
【０００６】
本考案によれば、ベルト本体に光り反射効果を有する模様を簡単に付けることができ、視覚的インパクトが強くファッション性に優れたベルトを提供することができる。また、多層押出成形により、光り反射効果を有するフィルムを合成樹脂製の被覆材で被覆することから、ベルト本体を安価に製造することができる。
【０００７】
さらに、反射効果を有するファイルムとしてホログラムフィルム又はミラージュフィルムを適用すれば、光を反射する角度に応じて、複雑な模様の変化や、微妙な色の変化を楽しむことができる。
【考案を実施するための最良の形態】
【０００８】
以下、本考案の一形態例を図面に基づいて詳しく説明する。図１は衣服用ベルトの斜視図、図２は衣服用ベルトの断面図である。
【０００９】
本形態例の衣服用ベルト１は、帯状のベルト本体２と留め具３とを備えたもので、ベルト本体２は、図２に示されるように、光り反射効果を有する帯状のホログラムフィルム４を、多層押出成形により合成樹脂製の被覆材５で被覆して形成されている。
【００１０】
ホログラムフィルム４は、例えば、光反射効果を有するドクロのホログラム模様４ａを複数備えたフィルムで、ベースフィルムとなるポリエステルフィルムの片面に印刷インキで大きさや方向の異なるドクロの模様を所定の間隔で印刷し、ホログラム凹凸パターンを有する金属製薄膜層を全面的に形成したフィルムをその上に押し付けて剥がすことにより、インキの粘着力によりインキの部分にのみ金属製薄膜層が転移してドクロのホログラム模様４ａが形成される。被覆材５は、外部から、ホログラム模様４ａが視認可能な透明なウレタンや塩化ビニル等の合成樹脂が用いられる。
【００１１】
留め具３は、ベルト本体２の一端に取り付けられる留め金３ａを備えたバックル３ｂと、ベルト通し部材３ｃと、ベルト本体２の他端側に形成され、前記留め金３ａを挿通させる複数の留め金挿通孔３ｄとを備えている。
【００１２】
ベルト本体２は、まず、周知のクロスヘッドダイを用いた多層押出成形装置や、ラミネート多層押出成形装置によって、基材となる帯状のホログラムフィルム４の外面に溶融状態の前記被覆材５を押し出して、該被覆材５でホログラムフィルム４を被覆する。次に、被覆材５で被覆された長尺なホログラムフィルム４を、ベルトとして適当な長さに切断し、端面を適宜熱処理して形成される。
【００１３】
このように形成されたベルト本体２の一端には、前記バックル３ｂとベルト通し部材３ｃとがビス等によって固着される。また、ベルト本体２の他端側には、前記留め金挿通孔３ｄを等間隔で複数穿設し、各留め金挿通孔３ｄは金環等が取り付けられて補強される。
【００１４】
上述のように形成された衣服用ベルト１をズボンやスカートのウエスト部分に装着すると、外光によりドクロのホログラム模様４ａの色彩や輝きが複雑に変化することから、視覚的インパクトが強く、衣服用ベルト１が服装のアクセントとなり、ファッション性の向上を図ることができる。また、アイ・キャッチ効果の高い衣服用ベルトを安価に生産できることから、例えば、企業が新商品のキャンペーンを張る場合などに、キャッチフレーズやロゴマーク，キャラクター等をホログラム模様にして、スタッフ用のベルトとするなど、広告効果を備えたデザイン性の高いベルトとして利用することもできる。
【００１５】
なお、上述の形態例では、光り反射効果を有するフィルムとしてホログラムフィルムを適用しているが、本考案は、これに限るものではなくミラージュフィルム（マジカルフィルム）を適用することもできる。このミラージュフィルムは、例えば複数のポリエステル薄膜を延伸軸をずらしながら積層した構造を有し、鏡面のような金属光沢が発現されると同時に、見る角度によって光沢の色が変わり、さらに、ある角度から観察すると裏が透き通って見える。また、ベルト本体に取り付けられる留め具も上述の形態例に限るものではなく、留め金や留め金挿通孔を備えていないもの等、どのような形態のものでも適用できる。
【図面の簡単な説明】
【００１６】
【図１】本考案の一形態例を示す衣服用ベルトの斜視図である。
【図２】同じく衣服用ベルトの断面図である。
【符号の説明】
【００１７】
１…衣服用ベルト、２…ベルト本体、３…留め具、３ａ…留め金、３ｂ…バックル、３ｃ…ベルト通し部材、３ｄ…留め金挿通孔、４…ホログラムフィルム、４ａ…ホログラム模様、５…被覆材
【図１】
0003144214.tif 000003
【図２】
0003144214.tif 000004
(57)【要約】      （修正有）【課題】筆記用具などを必要に応じて即座に取り出せる筆記用具受けを提供する。【解決手段】フラットバー４に受け皿１を一体化したものであり、フラットバー４の裏面に両面テープ又は接着剤を施して、何時でも手の届くような便利な場所に貼り付けて置く、こうする事で筆記用具の必要な時は何時でも即座に取り出す事ができる。【選択図】図５
0003144206.tif 000002
【実用新案登録請求の範囲】
【請求項１】
フラットバー（４）に対して受け皿（１）を直角に一体化にする、一方受け皿（１）に筆記用具の転がり止め（３）を設けてある筆記用具受け。
【請求項２】
フラットバー（４）の裏面になる所に接着材及び両面テープ（２）などを貼り付けてある事を特徴とする請求項１に記載の筆記用具受け。
【請求項３】
受け皿（１）の転がり止め（３）の中心部分を切り下げて筆記用具の取り出し（５）を設けることを特徴とする請求項１に記載の筆記用具受け。
【考案の詳細な説明】
【技術分野】
【０００１】  本発明は、筆記用具などを必要に応じて即座にして取り出せる筆記用具受けに関する。
【背景技術】
【０００２】  従来は筆記用具を取り出そうとすると机の引き出しを開け筆入れの蓋を開けて取り出すといった手間が掛かる、こういったことがメモの遅れとなるのが現状である。
【考案の開示】
【考案が解決しようとする課題】
【０００３】  昨今は机の上でパソコンのモニターテレビを見ながら作業をするのが殆どである、このような状態の中、緊急にしてメモをしなければならない事の只あるようです、このような時に筆記用具受けを探したり引き出しの中の筆箱を開けたりして出しているのでは無駄な時間を取ってしまう、このような時に身近な目の届く所のモニターテレビの空いているところとか、ハードデスクの空いた所に筆記用具受け貼り付けて置いて常に筆記用具受けに鉛筆とかボールペンを１〜２本備えて置く事で解決しようとする課題である。
【課題を解決するための手段】
【０００４】  課題を解決するため請求項１に元ずく説明、フラットバー（４）に対して受け皿（１）を直角に一体化にする、なお受け皿（１）に筆記用具等の転がりをなくすために転がり止め（３）を設けてある筆記用具受け。【０００５】  請求項２は筆記用具受けをモニターテレビとかハードデスク、その他の事務機などの空いているスペースの所に貼り付けする場合において、フラットバー（４）の裏面に接着剤又は両面テープなどを付けておき、必要に応じて貼り付けして置き、筆記用具などを備えて置く。【０００６】  請求項３は筆記用具受けを設けてあっても筆記用具（鉛筆、ボールペン、等など）をより早く摘み出すためには転がり止め（３）の中心部に切り込み（５）設ける、しかし切り込み（５）箇所は複数設ける事も可能である。
【考案の効果】
【０００７】  本発明により筆記用具受けをモニターテレビとかハードデスク、その他の事務機などの空いているスペースの所に貼り付けて、筆記用具（鉛筆、ボールペン、その他）を常に置いてあるとメモを取る場合、即座にして筆記用具を取り出せる便利さがある非常に大きい効果がある。
【考案を実施するための最良の形態】
【０００８】  図５は筆記用具受けに筆記用具を置いた状態の斜視図、フラットバー（４）に受け皿（１）を１対化したものであり、フラットバー（４）の裏面に両面テープ又は接着剤を施して、何時でも手の届くような便利な場所に貼り付けて置く、こうする事で筆記用具の必要な時は何時でも即座にして取り出す事ができる。【０００９】  図３は筆記用具受けの筆記用具などの置いた状態の断面図である、筆記用具が転がらないように転がり止め（３）を設けてあるから、丸い筆記用具でも安心して置けると言うものである。又図２は筆記用具受けをモニターテレビとかハードデスク、その他の事務機などの空いているスペースの所に設置するための両面テープ又は接着剤である、よって好きな時に脱着、交換又移動が容易である。
【産業上の利用可能性】
【００１０】  本発明による筆記用具受けなどは量産加工も可能である、又廃材を混合することも可能なのでメリットがある、産業上の利用は大きい。
【図面の簡単な説明】
【００１１】
【図１】  平面図
【図２】  側面図
【図３】  断面図
【図４】  斜視図
【図５】  斜視図
【符号の説明】
【００１２】  １        受け皿
２        両面テープ
３        筆記用具転がり止め
４        フラットバー
５        切り込み
６        筆記用具
６Ａ      筆記用具
【図１】
0003144206.tif 000003
【図２】
0003144206.tif 000004
【図３】
0003144206.tif 000005
【図４】
0003144206.tif 000006
【図５】
0003144206.tif 000007
(57)【要約】      （修正有）【課題】発振波長の異なる多くの種類の半導体レーザ素子を配列して広域化できる半導体レーザ光源を提供する。【解決手段】各半導体レーザ素子の光共振器側の端面７の角度を、中心から離れるに従ってだんだん大きく傾斜させることにより、各発振光が端面で中心方向に屈折するようにして光学的結合効率を改善した。光共振器の中心から離れた半導体レーザ素子でも効率良く発振できる。【選択図】図１
0003144202.tif 000002
【実用新案登録請求の範囲】
【請求項１】
各半導体レーザ素子の外部光共振器側の端面の角度を、中心から離れるに従ってだんだん大きく傾斜させることにより、各発振光が端面で中心方向に屈折するようにした構造の半導体レーザアレイと外部光共振器からなる半導体レーザ光源。
【考案の詳細な説明】
【技術分野】
【０００１】  この考案は半導体レーザ光源の広帯域化に関するものである。
【背景技術】
【０００２】  半導体レーザ素子は外部光共振器の共振波長を変えることによって発振波長が変えられるが、可変帯域は１０％程度にすぎない。このため広い波長領域で半導体レーザ光源を発振させるには、成分比や材料の違いにより発振波長の異なる複数個の半導体レーザアレイを配列して外部光共振器により半導体レーザ素子を少しずつ異なる波長で発振させる方法がとられている。
【考案の開示】
【考案が解決しようとする課題】
【０００３】  しかし外部光共振器の中心から離れるに従って外部光共振器と半導体レーザ素子の光学的結合効率が低下するため、配列できる半導体レーザアレイの数に限りがあるので広帯域化の障害になっていた。
【課題を解決するための手段】
【０００４】  そこでこの考案は半導体レーザアレイの各半導体レーザ素子の外部光共振器側の端面の角度を、中心から離れるに従ってだんだん大きく傾斜させることにより、各発振光が端面で中心方向に屈折するようにして光学的結合効率を改善した。
【考案の効果】
【０００５】  外部光共振器の中心から離れた半導体レーザ素子でも効率良く発振できるので、発振波長の異なる半導体レーザアレイを従来の倍程度配列できて半導体レーザ光源を広帯域化できる。
【考案を実施するための最良の形態】
【０００６】  図１は同一基板１上に半導体レーザ素子２を２個ずつ並べて形成した半導体レーザアレイ３を４枚配列した状態の平面図である。４枚の半導体レーザアレイ３は材料や成分比が違えてあるので、各半導体レーザ素子２はレンズ４と回折格子５からなる光共振器により少しずつ違った波長で共振したレーザ光６を出力する。それぞれの光共振器側の端面７の角度は、中心から離れるに従ってだんだん大きく傾斜させてあるから、外側の半導体レーザ素子２ほどレーザ光６が内側に屈折するから光学的結合効率が低下しない。反対側の端面８は光軸に対して直角のままであるからレーザ光の一方の共振器として機能している。半導体レーザ素子２は個別に発振させても、全部を一度に発振させてもかまわない。半導体レーザアレイを平面方向に位置変化させると書く半導体レーザ素子２の発振波長を微小に変化できる。ここでは図面が複雑になるので簡略化して２個ずつ４枚の半導体レーザアレイ３で示したが、実用上は数十個の半導体レーザ素子２をそれぞれ配列した５ないし６枚の半導体レーザアレイ３を使用して波長８００ｎｍから１２００ｎｍまでと、波長１２００ｎｍから２０００ｎｍまでをそれぞれ１台の光源で出力できる。外部光共振器はレンズ４と回折格子５を組み合わせた例で示したが、厚さ方向が光伝送路構造の固体光共振器も外部光共振器として機能する。
【図面の簡単な説明】
【０００７】
【図１】半導体レーザアレイを外部光共振器と組み合わせた状態の平面図である。
【符号の説明】
【０００８】１  基板
２  半導体レーザ素子
３  半導体レーザアレイ
４  レンズ
５  回折格子
６  レーザ光
７  光共振器側の端面
８  反対側の端面
【図１】
0003144202.tif 000003
(57)【要約】      （修正有）【課題】ハンズフリーで使用ができる携帯電話器の保持具を提供する。【解決手段】首のうしろを周回することができる形状をした基本体の適切な位置に、ポケットを取り付け、さらに左右の重量のバランスを考慮することによって携帯電話器の保持を可能にする。基本体の材料としては金属であってもプラスティック材であってもかまわないがプラスティック材によれば安価で数量も大量に作ることができる。針金を使用すれば適当な弾性を得る事ができ、少ない数量の製作も可能であるから、必要とする数量によって材料の決定を行う。【選択図】図２
0003144204.tif 000002
【実用新案登録請求の範囲】
【請求項１】
首のうしろを周回することができる形状をした基本体の適切な位置に、ポケットを取り付け、さらに左右の重量のバランスを考慮して成る携帯電話器の保持具。
【考案の詳細な説明】
【技術分野】
【０００１】この考案は携帯電話器を保持するためのものである。
【背景技術】
【０００２】携帯電話器を洋服ポケットの中に収納するかわりに新規な携帯電話器の保持用ポケットを提供しようとするものである。
【考案の開示】
【考案が解決しようとする課題】
【０００３】ハンズフリーで使用ができる携帯電話器の保持具を提供したい。
【課題を解決するための手段】
【０００４】首のうしろを周回することができる形状をした基本体の適切な位置に、ポケットを取り付け、、さらに左右の重量のバランスを考慮して携帯電話器の保持を可能にしたい。
【考案の効果】
【０００５】ハンズフリーで携帯電話器の使用ができる。
【考案を実施するための最良の形態】
【０００６】基本体の材料としては金属であってもプラスティック材であってもかまわないがプラスティック材によればうんと安価で数量も大量に作ることができる。
【実施例】
【０００７】針金を使用すれば適当な弾性を得る事ができ、少ない数量の製作も可能であるから、必要とする数量によって材料の決定を行う。
【産業上の利用可能性】
【０００８】使い勝手が良く有意義である。
【図面の簡単な説明】
【０００９】
【図１】本考案の平面図
【図２】本考案の正面図
【図３】本考案の側面図
【符号の説明】
１  基本体          ２  携帯電話器保持用のポケット
【図１】
0003144204.tif 000003
【図２】
0003144204.tif 000004
【図３】
0003144204.tif 000005
(57)【要約】      （修正有）【課題】計量が可能で、用途を多様化した御玉杓子を提供する。【解決手段】御玉杓子の御玉１の内面部に目盛線及び容量数字２を付けることにより、正確に調味料等を計量することが可能になることを特徴とする。これにより御玉杓子の用途が多様化する。【選択図】図１
0003144208.tif 000002
【実用新案登録請求の範囲】
【請求項１】
御玉杓子の内面に計量目盛を付けたことを特徴とする目盛付き御玉杓子。
【考案の詳細な説明】
【０００１】  本考案は、杓子内面に計量目盛を付けることにより、正確に調味料等の計量が可能な御玉杓子となる。
【背景技術】
【０００２】  従来の杓子は、計量目盛は付いていない。
【考案の開示】
【考案が解決しようとする課題】
【０００３】  杓子で簡単、正確に調味料等の計量を可能にする。
【課題を解決しようとする手段】
【０００４】  本考案は、杓子の内面部に計量目盛線及び容量数字を入れる。
【考案の効果】
【０００５】  よって、本考案は、杓子の他に調味料等の計量が可能となり杓子の価値が上がる。
【考案を実施するための最良の形態】
【０００６】  本考案に係る杓子に付ける計量目盛及び容量数字は図１、に示す様にする。杓子の御玉部内面に計量目盛線及び容量数字を入れる。
【図面の簡単な説明】
【０００７】
【図１】  本考案に係る御玉杓子の御玉部の平面図である。
【図２】  本考案に係る御玉杓子の御玉部の断面図である。
【符号の説明】
【０００８】  １    御玉杓子の御玉
２    目盛部
【図１】
0003144208.tif 000003
【図２】
0003144208.tif 000004
(57)【要約】      （修正有）【課題】レーザ光で様々な物体の表面に文字や画像を刻印するレーザマーカ用の半導体レーザ光源の光出力を強化して、小型で携帯可能なレーザマーカ装置を提供する。【解決手段】対象物体の吸収スペクトルと同じ発振波長帯域の半導体レーザアレイ１，２を外部光共振器５と光分波器６の間に置き、半導体レーザアレイの数十個の半導体レーザ素子を外部光共振器で少しずつ違う波長で同時にパルス発振させて、全てのレーザ光を光分波器で１本の光ファイバ７に合波して出力することにより強力なレーザ光を得ている。このレーザ光を適当な光走査装置で物体に照射すると、照射部分の物体の分子がレーザ光を吸収して温度が急激に上昇して分子が破壊されて色が変化するが、周囲のレーザ光が照射されなかった物体はもとのままであるから刻印できる。【選択図】図２
0003144203.tif 000002
【実用新案登録請求の範囲】
【請求項１】
対象物体の吸収スペクトルと同じ発振波長帯域の半導体レーザアレイを外部光共振器と光分波器の間に置き、半導体レーザアレイの数十個の半導体レーザ素子を外部光共振器で少しずつ違う波長で同時にパルス発振させて、全てのレーザ光を光分波器で１本の光ファイバに合波して出力するように配置した構造の半導体レーザ光源。
【考案の詳細な説明】
【技術分野】
【０００１】  この考案はレーザ光で様々な物体の表面に文字や画像を刻印するレーザマーカ用の半導体レーザ光源に関するものである。
【背景技術】
【０００２】  レーザマーカ用光源としては炭酸ガスレーザやＹＡＧレーザなどの光パワーの大きいレーザ光源が使われており、その熱エネルギーで物体表面を熱的に破壊して黒化して文字や画像を刻印していた。
【考案の開示】
【考案が解決しようとする課題】
【０００３】  しかし、これらは装置が大きく携帯には不向きであった。そこで半導体レーザを光源とすることが試みられたが、半導体レーザ素子１個あたりの出力は数ｍＷであるから出力が小さいために物体表面を熱的に破壊するのには十分な強度が得られなかった。そこでこの考案は半導体レーザ光源の光出力を強化して、小型で携帯可能なレーザマーカ装置を実現する事を目的としている。
【課題を解決するための手段】
【０００４】  対象物体の吸収スペクトルと同じ発振波長帯域の半導体レーザアレイを外部光共振器と光分波器の間に置き、半導体レーザアレイの数十個の半導体レーザ素子を外部光共振器で少しずつ違う波長で同時にパルス発振させて、全てのレーザ光を光分波器で１本の光ファイバに合波して出力することにより強力なレーザ光を得ている。
【考案の効果】
【０００５】  このレーザ光を適当な光走査装置で物体に照射すると、照射部分の物体の分子がレーザ光を吸収して温度が急激に上昇して分子が破壊されて色が変化するが、周囲のレーザ光が照射されなかったはもとのままであるから刻印できる。色は従来のように必ずしも黒色にはならない。スポットサイズは従来のものより小さくできるから、細かい字や模様が刻印できる。光パワーは半導体レーザ素子の数に比例するから、外部光共振器を大きくして波長間隔を小さくし半導体レーザ素子の数を増やせばいくらでも大きくできる。
【考案を実施するための最良の形態】
【０００６】  図１は発振波長帯域が１４００ｎｍ帯の半導体レーザアレイ１と２０００ｎ帯の半導体レーザアレイ２と１７００ｎｍ帯の半導体レーザアレイ３の平面図である。各半導体レーザアレイには２個ずつの半導体レーザ素子４が示してあるが、これは図面が複雑になるから省略したものであり、実用上は数十個をそれぞれ配列している。各半導体レーザアレイの材料の成分比は異なっており、半導体レーザアレイ１と半導体レーザアレイ２は水の分子が効率よく吸収する近赤外光のスペクトルに対応し、半導体レーザアレイ３はプラスチックの近赤外光の吸収スペクトルに対応している。【０００７】  図２は図１の半導体レーザアレイ１と半導体レーザアレイ２半導体レーザアレイ３を固体光共振器５と固体光分波器６の間に置いた構造のレーザマーカ用半導体レーザ光源の平面図である。固体光共振器５と固体光分波器６は厚さ方向が光伝送路になっている。半導体レーザアレイ１と半導体レーザアレイ２の数十個の半導体レーザ素子を固体光共振器５で少しずつ違う波長で一斉にパルス発振させると、固体光分波器６の出力側の光ファイバ７から合波した強力なレーザ光８が対象物に照射さる。これを光源として例えば適当な光走査装置で食品の表面に照射すると、食品表面の水分が急激に加熱されて分離蒸発し、跡の色が変化して製造日時や二次元バーコードを刻印できる。表面の水分をごくわずかに蒸発させるだけであるから、インク印刷と違って全く無害であり、液体以外のほとんど全ての食品に刻印可能である。この時、食品を透明プラスチックフイルムで覆っていても内部の食品表面に刻印可能であり、次に半導体レーザアレイ３だけをパルス発振させると、今度は透明プラスチックフイルムだけに刻印できる。前者は液体以外の大部分の食品や紙・天然繊維・植物・木質・革製品などに使用でき、後者は各種プラスチックや金属表面のプラスチック塗料や合成繊維などに使用できる。この例では厚さ方向が光伝送路の場合で示したが、従来のレンズや回折格子を組み合わせた光共振器や光分波器でも可能である。この半導体レーザ光源は小型で軽量であり、電源も電池でよいから携帯型のレーザマーカが可能である。
【図面の簡単な説明】
【０００８】
【図１】  半導体レーザアレイの平面図である。
【図２】  レーザマーカ用半導体レーザ光源の平面図である。
【符号の説明】
【０００９】  １  １４００ｎｍ帯の半導体レーザアレイ
２  ２０００ｎｍ帯の半導体レーザアレイ
３  １７００ｎｍ帯の半導体レーザアレイ
４  半導体レーザ素子
５  固体光共振器
６  固体光分波器
７  光ファイバ
８  レーザ光
【図１】
0003144203.tif 000003
【図２】
0003144203.tif 000004
(57)【要約】      （修正有）【課題】既存のシャワー室や浴室に、湯を供給する水栓や混合水栓を利用して容易で安価なミストサウナ装置を提供する。【解決手段】既存のシャワー室や浴室内にある湯を供給する水栓や混合水栓ａに直接取り付けするミストサウナ装置ｃである。このミストサウナ装置ｃにはミストノズル、三方弁ｆまたは開閉弁ｇ、ミストノズルの向きを上下左右前後どの方向にも向けられる機構を有し、湯を供給する水栓や混合水栓ａの元の機能を損なわないミストサウナ装置ｃである。【選択図】図１
0003144263.tif 000002
【実用新案登録請求の範囲】
【請求項１】
湯を供給する水栓や混合水栓に直接取り付けて使用し、ミストノズル、三方弁または開閉弁を有し、湯を供給する水栓や混合水栓の元の機能を損なわないミストサウナ装置である。
【請求項２】
請求項１のミストサウナ装置において、接続部分やミストサウナ装置の中間部分が回転または可とうし、ミストノズルの向きを上下左右前後自由な方向へ向けることを特徴とするミストサウナ装置である。
【考案の詳細な説明】
【技術分野】
【０００１】
本考案は湯を供給する水栓や混合水栓に直接ミストサウナ装置を取り付けることにより、容易で安価なミストサウナ装置を提供する。
【背景技術】
【０００２】
【特許文献１】特開２００３−２７５２７２
【特許文献２】特開２００１−０８７３４２
【特許文献３】特開２０００−０３３１０８
【考案の開示】
【考案が解決しようとする課題】
【０００３】
既存のシャワー室や浴室に、湯を供給する水栓や混合水栓を利用して容易で安価なミストサウナ装置を提供する。
【課題を解決するための手段】
【０００４】
湯を供給する水栓や混合水栓に直接取り付けて使用し、ミストノズル、三方弁または開閉弁を有し、湯を供給する水栓や混合水栓の元の機能を損なわないようにし、また、接続部分やミストサウナ装置の中間部分が回転または可とうし、ミストノズルの向きを上下左右前後自由な方向へ向けることを可能にしたミストサウナ装置である。
【産業上の利用可能性】
【０００５】
ミストサウナ装置
【図面の簡単な説明】
【０００６】
【図１】ミストサウナ装置概略図
【図２】ミストサウナ装置試作品図
【符号の説明】
【０００７】
ａ  混合水栓
ｂ  湯を供給する水栓
ｃ  ミストサウナ装置
ｅ  シャワー
ｆ  三方弁
ｇ  開閉弁
【図１】
0003144263.tif 000003
【図２】
0003144263.tif 000004